(57)【要約】【課題】液晶表示装置の画面の上下左右の端部と中央部との間のフリッカーレベルの不均一を補正する。【解決手段】液晶素子パネル２と水平シフトレジスタ３と垂直シフトレジスタ４とコモン電極５等からなる液晶モジュール１と、コントロール信号発生回路６と、Ｓ／Ｈドライブ回路７と、コモン電圧調整回路８とを備え、水平周期および垂直周期ごとにコモン電圧に対するビデオ信号の極性を反転する液晶表示装置において、水平周期および垂直周期ごとにビデオ信号電圧とコモン電圧との差圧が画面中央部で最小となる上または下に凸の曲線からなる波形のコモン電圧に補正するコモン電圧補正回路を備え、表示画面の中央部と両端との間でフリッカーレベルを均一に補正する。【選択図】  図１
2004287113.tif 000002
【特許請求の範囲】
【請求項１】
液晶素子と水平シフトレジスタと垂直シフトレジスタとコモン電極等からなる液晶モジュールと、コントロール信号発生回路と、Ｓ／Ｈドライブ回路と、コモン電圧調整回路とを備え、水平周期および垂直周期ごとにコモン電圧に対するビデオ信号の極性を反転する液晶表示装置において、
水平周期および垂直周期ごとにビデオ信号電圧とコモン電圧との差圧が画面中央部で最小となる上または下に凸の曲線からなる波形のコモン電圧に補正するコモン電圧補正回路を備えたことを特徴とする液晶表示装置。
【請求項２】
前記コモン電圧補正回路は画面両端のコモン電圧に対する画面中央部のコモン電圧をフリッカーレベルが均一となる電圧に補正することを特徴とする請求項１記載の液晶表示装置。
【請求項３】
前記コモン電圧補正回路に画面中央部のコモン電圧のピーク値を調整するピーク値調整回路を設けたことを特徴とする請求項１または２に記載の液晶表示装置。
【請求項４】
前記コモン電圧の波形をパラボラ波形としたことを特徴とする請求項１乃至３のいずれかに記載の液晶表示装置。
【請求項５】
前記コモン電圧補正回路を水平パラボラ波発生回路と垂直パラボラ波発生回路と水平および垂直のパラボラ波振幅調整回路とにより構成したことを特徴とする請求項４記載の液晶表示装置。
【発明の詳細な説明】
【０００１】
【発明の属する技術分野】
本発明は、アクティブマトリックス型の液晶表示装置に係り、詳しくは表示画面の中央部分と周辺部分との間のフリッカーレベルを均一に補正することが可能な液晶表示装置に関する。
【０００２】
【従来の技術】
従来、アクティブマトリックス型の液晶表示装置のフリッカーの対策として、いくつか提案されている（例えば、特許文献１〜３参照。）。
一般に、アクティブマトリックス型の液晶表示装置の駆動回路は図６のように構成されている。すなわち、液晶モジュール１がパネル２と水平シフトレジスタ３と垂直シフトレジスタ４とコモン電極５から構成され、これらをコントロール信号発生回路６、Ｓ／Ｈドライブ回路７、コモン電圧調整回路８により駆動する。コントロール信号発生回路６は、信号ＨＳＴ（水平スタートパルス）、信号ＨＣＫ（水平クロックパルス）を生成して水平シフトレジスタ３へ送り、同時に、信号ＶＳＴ（垂直スタートパルス）、信号ＶＣＫ（垂直クロックパルス）を生成して垂直シフトレジスタ４へ送り、さらに、信号ＦＲＰを生成してＳ／Ｈドライブ回路７へ送る。Ｓ／Ｈドライブ回路７は、入力されたビデオ信号を所定間隔でサンプリングして水平シフトレジスタ３に送るとともに、その信号の極性を、信号ＦＲＰのタイミングで反転する。水平シフトレジスタ３は、信号ＨＳＴの入力で作動を開始し、信号ＨＣＫのタイミングで順次パネル２にビデオ信号の電圧を印加する。垂直シフトレジスタ４は、信号ＶＳＴの入力で作動を開始し、信号ＶＣＫのタイミングで順次パネル２に所定のゲート電圧を印加する。コモン電圧調整回路８は、コモン信号をコモン電極５へ送り、パネル２にコモン信号のコモン電圧を印加する。
【０００３】
図７は図６のＳ／Ｈドライブ回路７から出力されるビデオ信号とコモン電圧調整回路８から出力されるコモン信号を示し、ビデオ信号は信号ＦＲＰのタイミングで１水平期間（１Ｈ）ごとにコモン信号に対して極性が反転される。ここでコモン信号は、フリッカーレベルが均一となるように、反転前のビデオ信号と反転後のビデオ信号の中間の電圧に調整される。
同様に、図８は図６のＳ／Ｈドライブ回路７から出力されるビデオ信号とコモン電圧調整回路８から出力されるコモン信号を示し、ビデオ信号は信号ＦＲＰのタイミングで１垂直期間（１Ｖ）ごとにコモン信号に対して極性が反転される。ここでコモン信号は、フリッカーレベルが均一となるように、反転前のビデオ信号と反転後のビデオ信号の中間の電圧に調整される。
【０００４】
【特許文献１】
特開平１０−６２７４１号公報  （第４−７頁、図１−図８）
【特許文献２】
特開平２０００−３２２０３１号公報  （第６−９頁、図１）
【特許文献３】
特開平２０００−１９３９３８号公報（第４−５頁、図５−図９）
【０００５】
【発明が解決しようとする課題】
ところで、液晶プロジェクタ等では、光源の強度や発散角に面内分布がある場合、画素の微小リーク量が異なってくる。この微小リーク量により、面内での最適なコモン電圧が微妙にずれてくる。画素の保持容量を形成する電極は左右から配線されており、この配線には駆動時にある程度のノイズを持っている。そのためノイズの影響を受けにくい左右端とノイズの影響を受けやすい中央部とでは、最適なコモン電圧がずれてくる。上下端と中央部も同様である。このように光源の光学要因や液晶パネルのプロセス要因により画面内でコモン電圧がずれることに対して、コモン電極に印加する電圧がＤＣであると、フリッカーレベルが不均一となる問題があった。このフリッカーレベルが不均一となる問題に対して、上述した従来技術では充分な対策とはならなかった。
そこで本発明は、画面の上下左右の端部と中央部との間で発生するフリッカーレベルの不均一を補正することを可能にした液晶表示装置を提案することを課題とした。
【０００６】
【課題を解決するための手段】
上記課題を解決するために、本発明に係る液晶表示装置は、液晶素子と水平シフトレジスタと垂直シフトレジスタとコモン電極等からなる液晶モジュールと、コントロール信号発生回路と、Ｓ／Ｈドライブ回路と、コモン電圧調整回路とを備え、水平周期および垂直周期ごとにコモン電圧に対するビデオ信号の極性を反転するものにおいて、コモン電圧補正回路を備え、水平周期および垂直周期ごとにビデオ信号電圧とコモン電圧との差圧が画面中央部で最小となる上または下に凸の曲線からなる波形のコモン電圧に補正する。それにより、表示画面の中央部と両端との間でフリッカーレベルを均一に補正することが可能となる。
【０００７】
ここで、前記コモン電圧補正回路は画面両端のコモン電圧に対する画面中央部のコモン電圧をフリッカーレベルが均一となる電圧に補正する。
また、前記コモン電圧補正回路に画面中央部のコモン電圧のピーク値を調整するピーク値調整回路を設けて、コモン電圧のピーク値を調整する。
さらに、前記コモン電圧の波形をパラボラ波形とすることが可能である。
またさらに、前記コモン電圧補正回路を水平パラボラ波発生回路と垂直パラボラ波発生回路と水平および垂直のパラボラ波振幅調整回路とにより構成して、水平周期、垂直周期ごとにパラボラ波の振幅を調整することも可能である。
【０００８】
【発明の実施の形態】
以下、図に基づいて本発明の実施形態を説明する。図１は本発明に係るアクティブマトリックス型の液晶表示装置の駆動回路の構成を示すブロック図である。図示されるように、液晶モジュール１は液晶素子であるパネル２と水平シフトレジスタ３と垂直シフトレジスタ４とコモン電極５等から構成され、これらをコントロール信号発生回路６、Ｓ／Ｈドライブ回路７、コモン電圧調整回路８により駆動する。
【０００９】
コントロール信号発生回路６は、信号ＨＳＴ（水平スタートパルス）、信号ＨＣＫ（水平クロックパルス）を生成して水平シフトレジスタ３へ送り、同時に、信号ＶＳＴ（垂直スタートパルス）、信号ＶＣＫ（垂直クロックパルス）を生成して垂直シフトレジスタ４へ送り、さらに、信号ＦＲＰを生成してＳ／Ｈドライブ回路７へ送り、またさらに、信号ＨＤ、信号ＶＤを生成してそれぞれ水平パラボラ波発生回路１１、垂直パラボラ波発生回路１２へ送る。
【００１０】
Ｓ／Ｈドライブ回路７は、入力されたビデオ信号を所定間隔でサンプリングして水平シフトレジスタ３に送るとともに、その信号の極性を、信号ＦＲＰのタイミングで水平周期および垂直周期毎に反転する。水平シフトレジスタ３は、信号ＨＳＴの入力で作動を開始し、信号ＨＣＫのタイミングで順次パネル２にビデオ信号の電圧を印加する。垂直シフトレジスタ４は、信号ＶＳＴの入力で作動を開始し、信号ＶＣＫのタイミングで順次パネル２に所定のゲート電圧を印加する。
【００１１】
水平パラボラ波発生回路１１は、入力された信号ＨＤのタイミングで水平周期ごとにビデオ信号電圧とコモン電圧との差圧が画面中央部で最小となるバラボラ曲線からなる波形のコモン電圧信号を発生し、そのコモン電圧信号の波形の振幅をバラボラ波振幅調整回路１３により調整して出力する。垂直パラボラ波発生回路１２は、入力された信号ＶＤのタイミングで垂直周期ごとにビデオ信号電圧とコモン電圧との差圧が画面中央部で最小となるバラボラ曲線からなる波形のコモン電圧信号を発生し、そのコモン電圧信号の波形の振幅をバラボラ波振幅調整回路１４により調整して出力する。
【００１２】
ピーク値調整回路であるバラボラ波振幅調整回路１３，１４では、バラボラ波形をしたコモン電圧信号の波長中央のピーク値が、画面中央と両端との間でフリッカーレベルが均一となるように振幅を変えて調整される。水平パラボラ波発生回路１１および垂直パラボラ波発生回路１２から出力された２つのコモン信号はミックスされた後、コモン電圧調整回路８へ送られる。コモン電圧調整回路８は、コモン信号を信号ＦＲＰのタイミングで水平周期および垂直周期毎に波形を反転してコモン電極５へ送り、順次パネル２にコモン信号のコモン電圧を印加する。
【００１３】
図２は図１のＳ／Ｈドライブ回路７から出力されるビデオ信号とコモン電圧調整回路８から出力されるコモン信号を示し、図３はコモン信号の１水平期間（１Ｈ）の電圧の波形を示す図である。ビデオ信号は信号ＦＲＰのタイミングで１水平期間（１Ｈ）ごとにコモン信号に対して極性が反転される。ここでコモン信号は、フリッカーレベルが最小となるように、反転前のビデオ信号と反転後のビデオ信号の中間の電圧に調整されるとともに、バラボラ波が重畳され中央部でビデオ信号との差圧が最小となるように補正される。この波長中央のピーク値は、画面中央と左右両端との間でフリッカーレベルが均一となる値である。
【００１４】
図４も図１のＳ／Ｈドライブ回路７から出力されるビデオ信号とコモン電圧調整回路８から出力されるコモン信号を示し、図５はコモン信号の１垂直期間（１Ｖ）の電圧の波形を示す図である。ビデオ信号は信号ＦＲＰのタイミングで１水平期間（１Ｈ）ごとおよび１垂直期間（１Ｖ）ごとにコモン信号に対して極性が反転される。ここでコモン信号は、フリッカーレベルが最小となるように、反転前のビデオ信号と反転後のビデオ信号の中間の電圧に調整されるとともに、バラボラ波が重畳され中央部でビデオ信号との差圧が最小となるように補正される。この波長中央のピーク値は、画面中央と上下両端との間でフリッカーレベルが均一となる値である。
【００１５】
このように、本発明の実施形態では、従来のアクティブマトリックス型の液晶表示装置の駆動回路部に、水平パラボラ波発生回路１１、垂直パラボラ波発生回路１２、バラボラ波振幅調整回路１３，１４を設けたことで、画面の中央部と左右上下の周辺部との間で発生するフリッカーレベルの不均一を解消することができる。
なお、上述の実施形態では、コモン信号の波形をパラボラとしたが、近似する波形であれば他の曲線を用いることも可能である。また、本発明ではパラボラ波をコモン信号に重畳しているが、ビデオ信号に重畳することも可能である。
【００１６】
【発明の効果】
以上述べたように本発明によれば、アクティブマトリックス型の液晶表示装置の駆動回路にコモン電圧補正回路を備え、水平周期および垂直周期ごとにビデオ信号電圧とコモン電圧との差圧が画面中央部で最小となる上または下に凸の曲線からなる波形のコモン電圧に補正することで、表示画面の中央と両端の間でフリッカーレベルが均一に補正される。
また、本発明を液晶プロジェクタに適用した場合、液晶プロジェクタの光学特性や液晶パネル素子の特性の劣化に起因して発生する画面上のフリッカーレベルの不均一を均一に補正することが可能となり、バランスのとれたフリッカー微調整ができるようになる。
【図面の簡単な説明】
【図１】本発明に係るアクティブマトリックス型の液晶表示装置の駆動回路の構成を示すブロック図である。
【図２】図１において出力されるビデオ信号とコモン信号を示す波形図である。
【図３】コモン信号の１水平期間（１Ｈ）の電圧の波形を示す波形図である。
【図４】図１において出力されるビデオ信号とコモン信号を示す波形図である。
【図５】コモン信号の１垂直期間（１Ｖ）の電圧の波形を示す波形図である。
【図６】従来の液晶表示装置の駆動回路の構成を示すブロック図である。
【図７】従来のビデオ信号とコモン信号を示す波形図である。
【図８】従来のビデオ信号とコモン信号を示す波形図である。
【符号の説明】
１  液晶モジュール
２  パネル
３  水平シフトレジスタ
４  垂直シフトレジスタ
５  コモン電極
６  コントロール信号発生回路
７  Ｓ／Ｈドライブ回路
８  コモン電圧調整回路
１１  水平パラボラ波発生回路
１２  垂直パラボラ波発生回路
１３，１４  バラボラ波振幅調整回路
【図１】
2004287113.tif 000003
【図２】
2004287113.tif 000004
【図３】
2004287113.tif 000005
【図４】
2004287113.tif 000006
【図５】
2004287113.tif 000007
【図６】
2004287113.tif 000008
【図７】
2004287113.tif 000009
【図８】
2004287113.tif 000010